(57)【要約】【課題】人手を要するフィールド試験などを行わずに、無線ネットワークの品質情報を収集する通信装置および品質情報収集方法を提供する。【解決手段】基地局装置から受信する無線信号の相関値を算出する算出部と、算出部において算出される相関値が、閾値を超えるか否か判定する判定部と、判定部における判定結果が所定の条件を満たす場合に、閾値を異なる値に変更するとともに、算出部で算出された相関値を基地局装置に送信するよう制御する制御部と、を備える。【選択図】図２
2011176382.tif 000002
【特許請求の範囲】
【請求項１】
基地局装置から受信する無線信号の相関値を算出する算出部と、
前記算出部において算出される相関値が、閾値を超えるか否か判定する判定部と、
前記判定部における判定結果が所定の条件を満たす場合に、前記閾値を異なる値に変更するとともに、前記算出部で算出された相関値を前記基地局装置に送信するよう制御する制御部と、
を備えることを特徴とする通信装置。
【請求項２】
前記算出部は、前記相関値を算出する前記無線信号とし、前記基地局装置から定期的に送信される報知情報を用いる、
ことを特徴とする請求項１に記載の通信装置。
【請求項３】
基地局装置から受信する無線信号の相関値を算出するステップと、
前記算出するステップにおいて算出される相関値が、閾値を超えるか否か判定するステップと、
前記判定するステップにおける判定結果が所定の条件を満たす場合に、前記閾値を異なる値に変更するとともに、前記算出部で算出された相関値を前記基地局装置に送信するよう制御するステップと、
を有することを特徴とする品質情報収集方法。
【発明の詳細な説明】
【技術分野】
【０００１】
本発明は、通信装置および品質情報収集方法に関するものである。
【背景技術】
【０００２】
無線通信における通信環境の改善のための一般的な方法として、基地局の新設が挙げられる。この場合、事前に新設された基地局が、既存の周辺基地局との間で起こりうる干渉量の大小に関わらず、接続要求してくる端末に対して空き無線リソースを割り当ててしまい、既存の無線基地局の無線通信環境に影響を与えるおそれがある。
【０００３】
そのため、新たに無線基地局を設置する場合には、フィールド試験を行って、基地局を設置する候補箇所を選定したり、設置候補箇所周辺の既存の基地局との干渉が大きい周波数帯域を測定した上で、新たに設置する基地局の使用周波数帯域として、干渉量の少ない周波数帯域を選択したり、基地局の最大送信電力を決定したりしている。この、フィールド試験には、スペクトラムアナライザや、通信品質データを収集する装置（特許文献１を参照）などが用いられる。そして、決定された使用周波数帯域及び送信電力となる様に手動で基地局を調整している。
【先行技術文献】
【特許文献】
【０００４】
【特許文献１】特開２００１−１１９３３４号公報
【発明の概要】
【発明が解決しようとする課題】
【０００５】
しかしながら、無線基地局を設置する度に、設置箇所周辺のフィールド試験を行うためには、人手を要し、スペクトラムアナライザや、通信品質データを収集する装置などの特殊な装置を用いる必要があり、効率が悪い。そのため、近年、無線通信システムが自律的に無線ネットワークの品質情報を収集する技術が要望されている。
【０００６】
かかる点に鑑みてなされた本発明の目的は、人手を要するフィールド試験などを行わずに、無線ネットワークの品質情報を収集する通信装置および品質情報収集方法を提供することにある。
【課題を解決するための手段】
【０００７】
本発明に係る通信装置は、基地局装置から受信する無線信号の相関値を算出する算出部と、前記算出部において算出される相関値が、閾値を超えるか否か判定する判定部と、前記判定部における判定結果が所定の条件を満たす場合に、前記閾値を異なる値に変更するとともに、前記算出部で算出された相関値を前記基地局装置に送信するよう制御する制御部と、を備える。
【０００８】
本発明に係る通信装置は、前記算出部は、前記相関値を算出する前記無線信号とし、前記基地局装置から定期的に送信される報知情報を用いる。
【０００９】
本発明に係る品質情報収集方法は、基地局装置から受信する無線信号の相関値を算出するステップと、前記算出するステップにおいて算出される相関値が、閾値を超えるか否か判定するステップと、前記判定するステップにおける判定結果が所定の条件を満たす場合に、前記閾値を異なる値に変更するとともに、前記算出部で算出された相関値を前記基地局装置に送信するよう制御するステップと、を有する。
【発明の効果】
【００１０】
本発明によれば、無線ネットワークにおける品質が変化した場合に、品質に関する情報を送信するので、人手を要するフィールド試験などを行わずに、無線ネットワークの品質情報を収集することができる。
【図面の簡単な説明】
【００１１】
【図１】本発明の実施形態に係る無線通信システムの構成を示す図である。
【図２】本実施形態に係る通信装置の機能ブロック図である。
【図３】本実施形態に係る通信装置の処理を示すフロー図である。
【発明を実施するための形態】
【００１２】
以下、本発明の一実施形態を図面に基づいて詳細に説明する。
【００１３】
図１は、本発明の一実施形態に係る無線通信システム１０を示す図である。同図に示すように、無線通信システム１０は、通信装置２０と、基地局装置３０と、を含んで構成される。
【００１４】
図２は、無線通信システム１０における、通信装置２０の機能ブロック図である。
【００１５】
通信装置２０は、図２に示すように、アンテナＡＮＴと、送受信部２１０と、変復調部２２０と、記憶部２３０と、制御部２４０と、を備える。
【００１６】
送受信部２１０は、変復調部２２０から入力される信号に対し、Ｄ／Ａ変換処理、アップコンバート処理、および増幅処理を行い、アンテナＡＮＴと介して基地局装置３０に無線信号を送信する。また、送受信部２１０は、アンテナＡＮＴを介して受信した無線信号に対して増幅処理、ダウンコンバート処理、Ａ／Ｄ変換処理を行い、変復調部２２０に出力する。
【００１７】
変復調部２２０は、制御部２４０から入力されたデータをデジタル変調して送受信部２１０に出力し、一方、送受信部２１０から入力された信号をデジタル復調し、制御部２４０に出力する。
【００１８】
記憶部２３０は、制御部２４０が通信装置２０全体を管理及び制御するのに必要なプログラムを記憶する。また、記憶部２３０は、制御部２４０が相関値を算出する際に利用する期待値、算出された相関値、判定に利用する複数の判定基準値などを記憶する。
【００１９】
制御部２４０は、たとえば中央処理装置（ＣＰＵ）およびＣＰＵに動作を制御するプログラム等により構成され、記憶部２３０に記憶されるプログラムを用いて、通信装置２０全体を管理及び制御する。そして、アプリケーション処理に伴い、無線通信を行う必要がある場合、基地局装置３０との無線通信を制御する。また、制御部２４０は、算出部２４２と、判定部２４４と、を機能的に含む。
【００２０】
算出部２４２は、送受信部２１０にて基地局装置３０から受信した受信信号と、記憶部２３０に記憶される期待値に基づく信号と、を比較し、この比較結果から、受信信号の相関値を算出する。そのため、無線通信状況が良い場合には、相関値が大きくなり、一方、無線通信状況が悪い場合には、相関値は、小さくなる。そして、算出結果の相関値を、判定部２４２に出力する。
【００２１】
判定部２４４は、算出部２４２で算出された相関値が、判定基準値を超えているか否かを判定する。判定の結果、受信信号の相関値が、判定基準値を超えている場合には、該相関値となる受信信号に誤りはないと判定し、変復調部２２０に、この受信信号を復調させる。一方、受信信号の相関値が、判定基準値以下の場合には、受信信号に誤りがあると判定し、変復調部２２０に、この受信信号を復調させないようにする。
【００２２】
また、制御部２４０は、判定部２４４が判定に利用する判定基準値を変更することが可能である。制御部２４０における算出部２４２は、受信信号の相関値を算出し、判定部２４４は、算出された相関値を現在設定している判定基準値を用いて判定する。そして、判定部２４４における判定結果が、所定回数連続して設定されている判定基準値以下である場合には、制御部２４０は、判定基準値の値を低く設定し、通信装置２０における受信の成功確率を高める。一方、判定部２４４における判定結果が、所定回数連続して設定されている判定基準値を超える場合には、制御部２４０は、判定基準値の値を高く設定することも可能である。この判定基準値の変更は、基地局装置３０が周囲の通信装置２０に定期的に送信する報知情報に関する受信信号を利用して行われることがのぞましい。
【００２３】
制御部２４０は、品質情報として算出部２４２が算出した相関値や、判定部２４４が判定に利用する判定基準値が変更された場合、変更後の判定基準値を、基地局装置３０に送信させる制御を行う。この相関値や、変更後の判定基準値の送信は、例えば、通信装置２０から基地局装置３０に対してユーザデータが送信されないアイドル時間に実行される。このとき、相関値や、変更後の判定基準値の他に、通信装置２０の現在位置に関する情報を併せて送信してもよい。この現在位置に関する情報は、たとえば、携帯電話等の移動可能な通信装置２０である場合には、ＧＰＳ機能にて取得する情報で、一方、リピータ等の据え置き型の通信装置２０である場合には、予め記憶部２３０に記憶させて置いた設置箇所の位置情報を利用すればよい。
【００２４】
図３は、無線通信システム１０における通信装置２０の動作を示すフロー図である。図３に示すように、通信装置２０は、基地局装置３０と無線通信を実行している場合（ステップＳ３１Ｙｅｓに相当）、基地局装置３０から無線信号を受信する（ステップＳ３２）。通信装置２０は、受信した無線信号の相関値を算出（ステップＳ３３）し、さらに、算出した相関値が現在設定されている判定基準値を超えているか否かを判定する（ステップＳ３４）。判定の結果、相関値が判定基準値を超える場合（ステップＳ３４Ｙｅｓに相当）、通信装置２０は、受信した無線信号の復調を行う（ステップＳ３５）。一方、通信装置２０は、相関値が判定基準値以下となる場合（ステップＳ３４Ｎｏに相当）、受信した無線信号に誤りがあると判断し、基地局装置３０に再送要求を行う（ステップＳ３６）。そして、通信装置２０は、ステップＳ３５またはステップＳ３６の実行後、ステップＳ３１に移行する。
【００２５】
また、通信装置２０は、基地局装置３０と無線通信を実行していない場合（ステップＳ３１Ｎｏに相当）、基地局装置３０から定期的に送信される報知情報に関する無線信号を受信する（ステップＳ３７）。通信装置２０は、受信した無線信号の相関値を算出（ステップＳ３８）し、さらに、算出した相関値が現在設定されている判定基準値を超えているか否かを判定する（ステップＳ３９）。判定の結果、相関値が判定基準値を超える場合（ステップＳ３９Ｙｅｓに相当）、通信装置２０は、相関値を基地局装置３０に送信（ステップＳ３Ａ）し、ステップＳ３１に移行する。一方、通信装置２０は、相関値が判定基準値以下となる場合（ステップＳ３９Ｎｏに相当）、さらに、報知情報に関する無線信号の相関値が判定基準値以下となる回数が所定回数連続したか否かを判定する（ステップＳ３Ｂ）。判定の結果、所定回数連続した場合（ステップＳ３ＢＹｅｓに相当）には、通信装置２０は、判定に利用する判定基準値を小さい値に変更（ステップＳ３Ｃ）し、変更後の判定基準値を、記憶している相関値とともに基地局装置３０に送信（ステップＳ３Ｄ）し、ステップＳ３１に移行する。一方、判定の結果、所定回数連続していない場合（ステップＳ３ＢＮｏに相当）は、相関値を基地局装置３０に送信（ステップＳ３Ａ）し、ステップＳ３１に移行する。
【００２６】
以上説明した無線通信システム１０によれば、基地局装置３０から受信される無線信号の相関値と、該相関値と基準判定値との比較結果に応じて変更された基準判定値を、通信装置２０が基地局装置３０に送信することで、無線通信システム１０における無線ネットワークの品質情報を収集することができ、通信装置２０において収集された情報を利用して事業者は、新規の基地局装置の設置、置局の見直し、基地局装置におけるアンテナのチルト角変更といった対応に要する時間を削減することができる。
【００２７】
本発明を諸図面や実施例に基づき説明してきたが当業者であれば本開示に基づき種々の変形や修正を行うことが容易であることに注意されたい。したがって、これらの変形や修正は本発明の範囲に含まれることを留意されたい。例えば、各構成部、各ステップなどに含まれる機能などは論理的に矛盾しないように再配置可能であり、複数の手段やステップなどを１つに組み合わせたり、或いは分割したりすることが可能である。
【符号の説明】
【００２８】
１０  無線通信システム、２０  通信装置、３０  基地局装置、２１０  送受信部、２２０  変復調部、２３０  記憶部、２４０  制御部、２４２  算出部、２４４  判定部。
【図１】
2011176382.tif 000003
【図２】
2011176382.tif 000004
【図３】
2011176382.tif 000005